(57)【特許請求の範囲】
【請求項１】
選択的に開放可能な対をなす収納領域と、これら各収納領域にそれぞれ持ち出し可能に収容した持出容器とを具備してなり、
開放されていない収納領域に収容されている持出容器が新規補充状態のままで維持されるようにしてあることを特徴とする収納家具。
【請求項２】
選択的に開放可能な対をなす収納領域と、これら各収納領域にそれぞれ持ち出し可能に収容した持出容器とを具備してなり、対をなす収納領域を隣接配置するとともに、それら両収納領域の境界部分に１８０度回動可能な開閉蓋を設け、この開閉蓋によって、いずれか一方の収納領域の前面開口部分を選択的に閉鎖し得るように構成していることを特徴とする収納家具。
【請求項３】
持出容器が、前面を開放した筺形の容器本体と、この容器本体に引出可能に収容した引出しとを具備してなるものであり、前記容器本体の上面に取手を設けていることを特徴とする請求項２記載の収納家具。
【発明の詳細な説明】
【０００１】
【発明の属する技術分野】
本発明は、立寄りタイプのスモールオフィスなどにおいて好適に使用される収納家具に関するものである。
【０００２】
【従来の技術】
近時、営業マンが一時的に立ち寄って情報整理を行うためのスポットや、通勤時間を節約するためのワークスポットとして、種々のスモールオフィスが作られつつある。
しかして、この種のスモールオフィスは、基本的には文具その他の備品等を適宜補充するための管理者がいない状況で運営されており、適当な時期に備品収納用の持出容器等を本社に持ち帰って必要な品物を補充するようにしているのが現状である。
【０００３】
【発明が解決しようとする課題】
ところが、このようなものでは、持出容器を本社に持ち帰っている際に、他の人がそのスモールオフィスを使用した場合、備品を入れた容器が見あたらず、オフィスワークに支障をきたすという問題がある。
【０００４】
【課題を解決するための手段】
前記の問題点を解決するために、本発明は、収納家具に、選択的に開放可能な対をなす収納領域を設け、これら各収納領域にそれぞれ持出容器を持ち出し可能に収容したことを特徴としている。
【０００５】
【発明の実施の形態】
すなわち、本発明に係る収納家具は、選択的に開放可能な対をなす収納領域と、これら各収納領域にそれぞれ持ち出し可能に収容した持出容器とを具備してなり、開放されていない収納領域に収容されている持出容器が新規補充状態のままで維持されるようにしてあることを特徴としている。
このような構成のものであれば、オフィスワーカーは、開放されている側の収納領域に収容されている持出容器に入っている備品等を適宜使用することになる。その際、他方の収納領域は開放されていないため、該収納領域の持出容器内の備品に対しては消費は行われず、新規補充状態のままで維持される。
【０００６】
そして、一方の収納領域に収容された持出容器内の備品等が不足した状態になると、その持出容器を本社等に持ち帰ってその中に必要な備品等を補充することになるが、その際には、他方の収納領域を開放し、他方の持出容器内の備品等を使用できるようにしておく。このようにしておけば、他方の持出容器内の備品等が不足するようなるまでの期間中に、補充完了後の一方の持出容器を、前記一方の収納領域に返却しておけばよいことになる。
このように、オフィス内に備品を完備した持出容器が常に存在することとなり、備品を入れた容器が見当たらずオフィスワークに支障をきたすといった不具合が発生せず、また、補充のために細かい神経を使わなくて済む。
【０００７】
構成の簡単な実施形態としては、選択的に開放可能な対をなす収納領域と、これら各収納領域にそれぞれ持ち出し可能に収容した持出容器とを具備してなり、対をなす収納領域を隣接配置するとともに、それら両収納領域の境界部分に１８０度回動可能な開閉蓋を設け、この開閉蓋によって、いずれか一方の収納領域の前面開口部分を選択的に閉鎖し得るように構成したものを挙げることができる。持出容器の具体的な形態としては、前面を開放した筺形の容器本体と、この容器本体に引出可能に収容した引出しとを具備してなるものであり、前記容器本体の上面に取手を設けているものを挙げることができる。
【０００８】
【実施例】
以下、本発明の一実施例を、図面を参照して説明する。
この実施例における収納家具１は、スモールオフィス等に設置して使用されるもので、図１〜図３に示すように、筺形をなす家具本体２の上面後縁部分に行先表示板等として使用されるホワイトボード３が立設してあるものである。
【０００９】
家具本体２は、図１〜図３に示すように、底板２０１と、天板２０２と、左右の側板２０３と、背面板２０４とを具備してなる前面側に開放されているもので、前記左右の側板間２０３には、上水平仕切板２０５と、この上水平仕切板２０５よりも下方に位置する下水平仕切板２０６とが架設してある。前記上水平仕切板２０５と天板２０２間には、備品収納用の空間Ｓ１が形成されており、上水平仕切板２０５と下水平仕切板２０６との間、及び、下水平仕切板２０６と底板２０１との間には、用紙収納用の空間Ｓ２が設けてある。
【００１０】
前記備品収納用の空間Ｓ１は、図２及び図４に示すように、鉛直仕切板２０７により左半室２０８と、右半室２０９とに区成されており、それら左半室２０８及び右半室２０９に、それぞれ対をなす第１、第２の持出容器４Ａ、４Ｂ及び第３、第４の持出容器４Ｃ、４Ｄを収納している。
具体的に説明すれば、左半室２０８内に左右に隣接する対をなす第１、第２の収納領域Ｒ１、Ｒ２を設定し、それら各収納領域Ｒ１、Ｒ２に第１の持出容器４Ａと、第２の持出容器４Ｂをそれぞれ持出可能に収容し得るようにしている。第１、第２の持出容器４Ａ、４Ｂは、図５に示すように、例えば、一般の文具類を収納するためのもので、相互に同一の形態をなしており、前面を開放した筺形の容器本体４０１と、この容器本体４０１に引出可能に収容した複数の引出し４０２とを具備してなり、前記容器本体４０１の上面に取手４０３を設けている。そして、前記両収納領域Ｒ１、Ｒ２の境界部分に軸周りに１８０度回動可能な開閉蓋２１０を設け、この開閉蓋２１０によって、いずれか一方の収納領域Ｒ１（又はＲ２）の前面開口部分を選択的に閉鎖し得るように構成している。
【００１１】
同様に右半室２０９内にも左右に隣接する対をなす第３、第４の収納領域Ｒ３、Ｒ４を設定し、それら各収納領域Ｒ３、Ｒ４に第３の持出容器４Ｃと、第４の持出容器４Ｄをそれぞれ持出可能に収容し得るようにしている。
第３、第４の持出容器４Ｃ、４Ｄは、例えば、インクリボンやインクカートリッジ等のＯＡ用の備品を収納するためのもので、相互に同一の形態をなしており、本実施例では前述した第１、第２の持出容器４Ａ、４Ｂと同様の形状を有するものを使用している。すなわち、図５に示すように、前面を開放した筺形の容器本体４０１と、この容器本体４０１に引出可能に収容した複数の引出し４０２とを具備してなり、前記容器本体４０１の上面に取手４０３を設けている。そして、前記両収納領域Ｒ３、Ｒ４の境界部分に軸周りに１８０度回動可能な開閉蓋２１１を設け、この開閉蓋２１１によって、いずれか一方の収納領域Ｒ３（又はＲ４）の前面開口部分を選択的に閉鎖し得るように構成している。
【００１２】
一方、用紙収納用の空間Ｓ２の前面には、下縁を蝶持された蓋２１２が設けてある。これらの蓋２１２には、スリット２１２ａが形成してあり、そのスリット２１２ａを介して内部に収容されている用紙Ｙ類の消費度合いを視認することができるようになっている。
次いで、この収納家具１の使用状況を、左半室２０８を例にとって説明する。オフィスワーカーは、図２に示すように、開放されている側の収納領域、すなわち、開閉蓋２１０により閉塞されていない側の第１の収納領域Ｒ１に収容されている第１の持出容器４Ａに入っている文具類を適宜使用することになる。その際、第２の収納領域Ｒ２は開放されていないため、該収納領域Ｒ２に収容されている第２の持出容器４Ｂは使用されず、その中に準備されている文具類は、新規補充状態のままで維持される。
【００１３】
そして、第１の収納領域Ｒ１に収容された第１の持出容器４Ａ内の文具類が不足した状態になると、その第１の持出容器４Ａを本社等に持ち帰ってその中に必要な文具類を補充することになるが、その際には、図４に示すように、開閉扉２１０を１８０度回動させて第２の収納領域Ｒ２を開放し、第２の持出容器４Ｂ内の備品等を使用できるようにしておく。このようにしておけば、第２の持出容器４Ｂ内の文具類が不足するようになるまでの期間中に、補充完了後の第１の持出容器４Ａを、前記第１の収納領域Ｒ１に返却しておけばよいことになる。したがって、文具類の補充に細かい神経を使わなくても、常に文具類が収納家具１内に準備されていることになり、備品管理者の存在しないスモールオフィス等においては、特に便利に使用し得るものとなる。そして、オフィスワーカーは仕事だけに神経を集中することができ、ひいては仕事の効率も向上すると考えられる。
【００１４】
なお、右半室２０９に収容された第３、第４の持出容器４Ｃ、４Ｄについても事情は同じであり、常にＯＡ用の備品を不足することなく提供することが可能となる。
また、対をなす収納領域Ｒ１、Ｒ２（Ｒ３、Ｒ４）を隣接配置するとともに、それら両収納領域の境界部分に１８０度回動可能な開閉蓋２１０（２１１）を設け、この開閉蓋２１０（２１１）によって、いずれか一方の収納領域Ｒ１若しくはＲ２（Ｒ３若しくはＲ４）の前面開口部分を選択的に閉鎖し得るように構成しているので、収納領域Ｒ１、Ｒ２（Ｒ３、Ｒ４）の開口部分を選択的に閉鎖する機構を、簡単な構成で且つ部品点数を極力最小限に抑えて構成し、しかも確実な作用が期待できる。
【００１５】
さらに、各持出容器４Ａ〜４Ｄが、前面を開放した筺形の容器本体４０１と、この容器本体４０１に引出可能に収容した引出し４０２とを具備してなるものであり、前記容器本体４０１の上面に取手４０３を設けているものであるので、各収納領域Ｒ１〜Ｒ４に収納した際には使い勝手のよい備品収納部として、また備品を補充するために本社に持ち帰る際には持ち運びの容易な容器として好適に使用することができる。
【００１６】
なお、持出容器４Ａ〜４Ｄに収納すべき物品は、文具類等の備品に限定されないのは勿論であり、適宜補充する必要のある消費材であれば、どのようなものであってもよい。
また、対をなす収納領域Ｒ１、Ｒ２（Ｒ３、Ｒ４）を選択的に開放させるための手段も、図示実施例に限られるものではなく、スライド式の蓋や、上下方向に回動する開閉蓋等であってもよい。
【００１７】
その他各部の構成も本発明の趣旨を逸脱しない範囲で種々変形が可能である。
【００１８】
【発明の効果】
以上詳述したように、本発明に係る収納家具は、選択的に開放可能な対をなす収納領域と、これら各収納領域にそれぞれ持ち出し可能に収容した持出容器とを具備してなり、開放されていない収納領域に収容されている持出容器が新規補充状態のままで維持されるようにしてあることを特徴としている。
このような構成のものであれば、オフィスワーカーは、開放されている側の収納領域に収容されている持出容器に入っている備品等を適宜使用し、この持出容器内の備品等が不足した状態になった場合に、他方の収納領域を開放してこの収納領域内の新規補充状態の収納容器を使用し、その間に備品が不足した一方の持出容器を本社等に持ち帰り必要な備品等を補充することができるので、常にオフィス内に備品を完備した容器が存在することとなり、備品をいれた容器が見当たらずオフィスワークに支障をきたすという不具合が解消される。すなわち、文具類の補充に細かい神経を使わなくても、常に文具類が収納家具内に準備されていることとなり、備品管理者の存在しないスモールオフィスにおいてオフィスワーカーは仕事だけに神経を集中することができ、ひいては仕事の効率も向上すると考えられる。
【００１９】
そして、対をなす収納領域を隣接配置するとともに、それら両収納領域の境界部分に１８０度回動可能な開閉蓋を設け、この開閉蓋によって、いずれか一方の収納領域の前面開口部分を選択的に閉鎖し得るように構成するならば、収納領域の開口部分を選択的に閉鎖する機構を、簡単な構成で且つ部品点数を極力最小限に抑えて構成し、しかも確実な作用が期待できる。
【００２０】
さらに、持出容器が、前面を開放した筺形の容器本体と、この容器本体に引出可能に収容した引出しとを具備してなるものであり、前記容器本体の上面に取手を設けているものならば、収納領域に収納した際には使い勝手のよい備品収納部として、また備品を補充するために本社に持ち帰る際には持ち運びの容易な容器として好適に使用することができる。
【図面の簡単な説明】
【図１】本発明の一実施例を示す斜視図。
【図２】同正面図。
【図３】同図２におけるＡ−Ａ線断面図。
【図４】同図２におけるＢ−Ｂ線断面図。
【図５】同持出容器を示す斜視図。
【符号の説明】
１…収納家具
２１０、２１１…開閉蓋
４Ａ…持出容器（第１の持出容器）
４Ｂ…持出容器（第２の持出容器）
４Ｃ…持出容器（第３の持出容器）
４Ｄ…持出容器（第４の持出容器）
４０１…容器本体
４０２…引出し
４０３…取手
Ｒ１…収納領域（第１の収納領域）
Ｒ２…収納領域（第２の収納領域）
Ｒ３…収納領域（第３の収納領域）
Ｒ４…収納領域（第４の収納領域）
【図１】
0003555413.tif 000002
【図２】
0003555413.tif 000003
【図３】
0003555413.tif 000004
【図４】
0003555413.tif 000005
【図５】
0003555413.tif 000006